(57)【特許請求の範囲】
【請求項１】
第１装置に接続された第１通信線と半田で接続される第１通信用端子と、第２装置に接続された第２通信線と接続される第２通信用端子と、が電気的に接続される通信用端子板において、前記第１通信用端子に接続される通信線端子接続装置であって、
前記第１通信用端子が挿入される端子孔と、
前記端子孔に挿入された前記第１通信用端子を挟持する一対のアームと、
前記一対のアームの間に介在する前記第１通信用端子に対して電気的に接触する導電性の弾性部材と、
を備え、
前記端子孔は、前記第１通信線が断線した場合に、前記弾性部材に接続される導電線を介して前記第１通信用端子が前記第１装置と電気的に接続されるように、前記第１通信用端子が挿入される孔である
ことを特徴とする通信線端子接続装置。
【請求項２】
前記弾性部材は、前記第１通信用端子の一方の面に接触する第１弾性部材と、前記第１通信用端子の前記一方の面とは反対側の他方の面に接触する第２弾性部材と、を含む
ことを特徴とする請求項１に記載の通信線端子接続装置。
【請求項３】
前記第１弾性部材は、前記第１通信用端子の前記一方の面に向かって弾性付勢される第１弾性部と、前記第１弾性部の変動に応じて前記第１通信用端子の前記一方の面に接触する複数の第１接触部と、を有し、
前記第２弾性部材は、前記第１通信用端子の前記一方の面とは反対側の前記他方の面に向かって弾性付勢される第２弾性部と、前記第２弾性部の変動に応じて前記第１通信用端子の前記一方の面とは反対側の前記他方の面に接触する複数の第２接触部と、を有する
ことを特徴とする請求項２に記載の通信線端子接続装置。
【請求項４】
前記複数の第１接触部及び前記複数の第２接触部は、夫々、前記第１通信用端子が前記端子孔に挿入される方向に沿って設けられる
ことを特徴とする請求項３に記載の通信線端子接続装置。
【請求項５】
前記一対のアームは、前記第１通信用端子を挟持できるように弾性付勢されている
ことを特徴とする請求項１乃至４の何れか一項に記載の通信線端子接続装置。
【請求項６】
前記一対のアームは、前記端子孔に挿入された前記第１通信用端子が前記端子孔から外れないように、前記第１通信線が半田で接続される接続部に係合する係合部を有する
ことを特徴とする請求項５の何れか一項に記載の通信線端子接続装置。
【請求項７】
前記係合部は、前記第１通信用端子が前記端子孔に挿入されたとき、前記一対のアームの弾性付勢に抗して前記第１通信用端子を案内する案内部を有する
ことを特徴とする請求項６の何れか一項に記載の通信線端子接続装置。
【発明の詳細な説明】
【技術分野】
【０００１】
本発明は、通信線端子接続装置に関する。
【背景技術】
【０００２】
例えば、ラッピング形状の端子形状を有する通信用中間配線盤の装着面に装着して使用される、ワンタッチ接続コネクタが知られている（例えば特許文献１）。
【先行技術文献】
【特許文献】
【０００３】
【特許文献１】特開２００８−１７１６６４号公報
【発明の概要】
【発明が解決しようとする課題】
【０００４】
例えば、各種端末装置は、通信用中間配電盤に接続された信号線を介して、相互に接続されている。災害時等において、通信用中間配電盤と、各種端末装置との間の信号線（回線）が切断された場合、各端末装置間で通信が不能になるため、施設の管理運用に支障をきたす。そのような場合、作業員は、切断された信号線を早期に復旧させる必要がある。例えば、通信用中間配電盤の端子形状がラッピング形状の場合、作業員は、回線を復旧するために通信用中間配電盤の端子に、ワンタッチ接続コネクタを接続する。しかし、通信用中間配電盤の端子形状がバーチカル型で、通信線が半田付けされている端子の場合、作業員は、上記のワンタッチ接続コネクタを、通信用中間配電盤の端子に接続できない。従って、回線を復旧するためには、作業員は、先ず、バーチカル型の端子から半田を取り除いて、次に、信号線を端子に半田付けすることとなる。上記作業には、作業員の技術と、作業時間とを要することから、早期に回線を復旧させることができない虞があった。
【０００５】
そこで、本発明は、バーチカル型の半田付けされている端子に対して、通信線が半田付けされている状態で、ワンタッチで取り付けられる通信線端子接続装置を提供することを目的とする。
【課題を解決するための手段】
【０００６】
前述した課題を解決する主たる本発明は、第１装置に接続された第１通信線と半田で接続される第１通信用端子と、第２装置に接続された第２通信線と接続される第２通信用端子と、が電気的に接続される通信用端子板において、前記第１通信用端子に接続される通信線端子接続装置であって、前記第１通信用端子が挿入される端子孔と、前記端子孔に挿入された前記第１通信用端子を挟持する一対のアームと、前記一対のアームの間に介在する前記第１通信用端子に対して電気的に接触する導電性の弾性部材と、を備え、前記端子孔は、前記第１通信線が断線した場合に、前記弾性部材に接続される導電線を介して前記第１通信用端子が前記第１装置と電気的に接続されるように、前記第１通信用端子が挿入される孔である、ことを特徴とする。
【０００７】
本発明の他の特徴については、添付図面及び本明細書の記載により明らかとなる。
【発明の効果】
【０００８】
本発明によれば、半田付けされている通信用端子に対して、ワンタッチで通信線端子接続装置を取り付けることが可能になる。
【図面の簡単な説明】
【０００９】
【図１】本実施形態に係る通信線端子接続装置を示す斜視図である。
【図２】本実施形態に係るアームを示す斜視図である。
【図３】本実施形態に係るアームが閉じた状態を＋Ｘ方向に向かって見た状態を示す図である。
【図４】本実施形態に係るアームが開いた状態を＋Ｘ方向に向かって見た状態を示す図である。
【図５】本実施形態に係る弾性部材を−Ｙ方向に向かって見た状態を示す図である。
【図６】本実施形態に係る弾性部材を＋Ｚ方向に向かって見た状態を示す図である。
【図７】本実施形態に係る第１接続手順におけるブロック図である。
【図８】本実施形態に係る第２接続手順におけるブロック図である。
【発明を実施するための形態】
【００１０】
本明細書および添付図面の記載により、少なくとも以下の事項が明らかとなる。
【００１１】
＝＝＝通信線端子接続装置の構成＝＝＝
図１は、本実施形態に係る通信線端子接続装置を示す斜視図である。図２は、本実施形態に係るアームを示す斜視図である。図３は、本実施形態に係るアームが閉じた状態を＋Ｘ方向に向かって見た状態を示す図である。図４は、本実施形態に係るアームが開いた状態を＋Ｘ方向に向かって見た状態を示す図である。図５は、本実施形態に係る弾性部材を−Ｙ方向に向かって見た状態を示す図である。図６は、本実施形態に係る弾性部材を＋Ｚ方向に向かって見た状態を示す図である。Ｘ軸はＹ軸及びＺ軸に直交する軸であり、Ｙ軸は端子孔の長手方向に沿う軸であり、Ｚ軸はアームの長手方向に沿う軸である。尚、図１〜図６においては、同一であるものには同一引用数字を用いている。
【００１２】
以下、図１〜図６を参照しつつ、本実施形態に係る通信線端子接続装置について説明する。
【００１３】
通信線端子接続装置１０は、測定部１１と、調整部１２と、ロック解除部１３と、ケーブル１４と、端子孔１５と、外部フレーム１６と、内部フレーム１７と、接地線１９と、アーム１００と、弾性部材２００と、を含んで構成されている。
【００１４】
測定部１１は、例えば、測定用装置（不図示）を接続して、通信用中間配電盤に接続される信号線が健全か否かの状態を確認するための部材である。測定部１１は、測定孔１１Ａと、測定接触部（不図示）と、を含んで構成されている。測定孔１１Ａは、例えば、長方形を呈する孔である。測定接触部（不図示）には、信号線（不図示）の一端が電気的に接続されており、信号線（不図示）の他端は後述する信号線２３０に電気的に接続されている。測定部１１は、測定孔１１Ａに測定用装置の測定用端子コネクタ（不図示）が挿入されると、測定用端子コネクタ（不図示）の一部が測定接触部（不図示）に電気的に接触する構造を有している。すなわち、測定用端子コネクタ（不図示）は、測定接触部（不図示）から信号線（不図示）を通じて、信号線２３０に電気的に接続される。尚、測定用端子コネクタ（不図示）とは、信号線（不図示）を通じて測定用装置に接続されているコネクタ部分をいう。
【００１５】
調整部１２は、信号線２３０を通過する信号の送受信レベルを調整するための部材である。調整部１２は、スイッチ部１２Ａと、減衰器（不図示）と、を含んで構成されている。スイッチ部１２Ａは、例えば、ディップスイッチで構成されている。スイッチ部１２Ａは、例えば、複数で構成されている。スイッチ部１２Ａは、減衰器（不図示）と、信号線２３０と、が接続される状態（ＯＮ状態）と、接続されない状態（ＯＦＦ状態）と、を切り替える部材である。減衰器（不図示）は、例えば、信号の送受信レベルを減衰させる部材である。減衰器（不図示）は、例えば、スイッチ部１２Ａの切替操作によって、信号線２３０に接続又は信号線２３０から切断される。ただし、減衰器（不図示）は、全ての信号線２３０に一括して接続されるものではなく、特定の信号線２３０に選択的に接続されるものである。
【００１６】
ロック解除部１３は、例えば、プラスチック素材で形成された押圧式のボタンである。ロック解除部１３は、例えば、後述する第２ロック体１６０Ａと連結されている。ロック解除部１３は、例えば、その一部が後述する外部フレーム１６から突出するように設けられている。ロック解除部１３の突出している部分は、−Ｙ方向に押圧されると、その部分が外部フレーム１６の中に圧入され、それに連動して第２ロック体１６０Ａが−Ｙ方向に押し下げられるように構成されている。
【００１７】
ケーブル１４は、例えば、信号線２３０を束ねたものに、ビニル製の被覆を施して構成されている。ケーブル１４は、後述する外部フレーム１６に設けられたケーブル挿入孔１４Ａから延出するように設けられている。
【００１８】
外部フレーム１６は、アーム１００、弾性部材２００等を外力から保護するための部材である。外部フレーム１６は、例えば、プラスチック製の素材を用いて構成されている。外部フレーム１６の外周面には、例えば、測定孔１１Ａと、調整部１２と、ロック解除部１３と、ケーブル挿入孔１４Ａと、後述する端子孔１５と、が設けられている。
【００１９】
内部フレーム１７は、外部フレーム１６の内側において、互いに隣接するアーム１００、弾性部材２００等が接触しないように、夫々のアーム１００、弾性部材２００等を物理的及び電気的に隔絶する部材である。内部フレーム１７は、例えば、プラスチック製の絶縁素材を用いて構成されている。内部フレーム１７は、外部フレーム１６の内側において、外部フレーム１６と接合されている。
【００２０】
接地線１９は、通信線端子接続装置１０において外部ノイズが発生した場合に、外部ノイズを外部に導通させる部材である。接地線１９は、例えば、絶縁体で被覆した導電体である。接地線１９は、例えば、一端が外部フレーム又は内部フレームに電気的に接続されている。接地線１９は、例えば、他端がケーブル挿入孔１４Ａから導出されている。
【００２１】
端子孔１５は、通信用端子１８が挿入される孔である。端子孔１５は、例えば、Ｘ方向においては対向する直線状の辺を有し、Ｙ方向においては対向する辺が互いに離れるように湾曲している略楕円形状を呈する孔である。端子孔１５の内側には、例えば、後述するアーム１００と、後述する弾性部材２００と、が設けられている。端子孔１５は、例えば、外部フレーム１６の外周面に設けられ、Ｙ軸に沿う方向で、他の端子孔１５と並行して６個設けられることが好ましい。なぜなら、１つの信号は、６つの信号線を要するためである。夫々の端子孔１５間の離隔は、バーチカル型の端子間の離隔に合わせたものとする。又、端子孔１５のＺ方向の深さは、バーチカル型の端子の長さに合わせたものとする。
【００２２】
アーム１００は、端子孔１５に挿入された半田付けされた通信用端子１８を挟持して、通信用端子１８が端子孔１５から外れないようにする部材である。アーム１００の構成は、後述する。
【００２３】
弾性部材２００は、端子孔１５に挿入された通信用端子１８に電気的に接触する部材である。弾性部材２００の構成は、後述する。
【００２４】
尚、上記において、通信線端子接続装置１０の構成を記載したが、通信線端子接続装置１０の使用態様としては、ケーブル１４の一端にのみ通信線端子接続装置１０を備えているもの、ケーブル１４の両端に通信線端子接続装置１０を備えているもの、ケーブル１４の一端には通信線端子接続装置１０を備え、他端には公知のコネクタ、例えばＲJ−４５を備えているもの、が含まれるものとする。又、測定孔１１Ａは長方形の孔として説明したが、これに限定されない。例えば、丸型のピンに対応した丸型の孔であってもよい。又、通信線端子接続装置１０に調整部１２を含んで構成されているとして説明したが、これに限定されない。例えば、調整部１２を含まずに構成されていてもよい。又、端子孔１５が外部フレーム１６に少なくとも６個が設けられていることが好ましいとして説明したが、これに限定されない。端子孔１５は、その数が限定されるものではない。又、アーム１００は挿入される半田付けされた通信用端子１８を挟持するとして説明したが、これに限定されない。例えば、半田付けされていない通信用端子１８を挟持できるものをも含むこととする。
【００２５】
＝＝＝アームの構成＝＝＝
以下、図２〜図４を参照しつつ、本実施形態に係るアーム１００について説明する。
【００２６】
アーム１００は、挟持体１１０Ａ、挟持バネ１２０Ａ、連結部材１３０Ａ、１３１Ａ、支軸１４０Ａ、１４１Ａ、１４０Ｃ、１４１Ｃのブロックと、挟持体１１０Ｂ、挟持バネ１２０Ｂ、連結部材１３０Ｂ、１３１Ｂ、支軸１４０Ｂ、１４１Ｂ、１４０Ｄ、１４１Ｄのブロックと、を含んで構成されている。前者のブロックと、後者のブロックとは、同様の構成を有し、第１ロック体１５０Ａを中心として、Ｙ軸及びＺ軸で形成されるＹＺ平面に沿って、第１ロック体１５０Ａを境にして対称な動作を行う。そこで、以下、説明の便宜上、前者のブロックについて、その構成の説明を行い、後者のブロックについては、その説明を省略する。尚、前者のブロックと、後者のブロックにおいて、同一の構成を有する要素には同じ番号を付すこととし、末尾の番号を前者のブロックはＡ又はＣ、後者のブロックはＢ又はＤとして記すこととし、ＡとＢ、ＣとＤ、が夫々対称の関係にあることとする。
【００２７】
アーム１００は、前述した、挟持体１１０Ａ、１１０Ｂと、挟持バネ１２０Ａ、１２０Ｂと、連結部材１３０Ａ、１３０Ｂ、１３１Ａ、１３１Ｂと、支軸１４０Ａ、１４０Ｂ、１４０Ｃ、１４０Ｄ、１４１Ａ、１４１Ｂ、１４１Ｃ、１４１Ｄと、に加えて、第１ロック部材１５０と、第２ロック部材１６０と、を含んで構成されている。
【００２８】
挟持体１１０Ａ、１１０Ｂは、挿入される通信用端子１８を挟持して、通信用端子１８が端子孔１５から外れないようにする部材である。挟持体１１０Ａ、１１０Ｂは、一対で構成されている。一対の挟持体１１０Ａ、１１０Ｂは、夫々の後述する係合部１１３Ａ、１１３Ｂののこぎり状の歯が向かい合うように、Ｚ軸に沿って並行に配置されている。挟持体１１０Ａは、挟持部１１１Ａと、案内部１１２Ａと、係合部１１３Ａと、信号線１１４Ａと、を含んで構成されている。
【００２９】
挟持部１１１Ａは、例えば、後述する挟持バネ１２０Ａの弾性力を利用して、通信用端子１８を挟持するための部材である。挟持部１１１Ａは、例えば金属製材料を用いて形成され、例えば略直方体形状を呈している。一対の挟持部１１１Ａ、１１１Ｂは、後述する挟持バネ１２０Ａ、１２０Ｂによって、Ｙ軸に沿って、挟持部１１１Ａが＋Ｙ方向から−Ｙ方向に向かって弾性力を与えられ、挟持部１１１Ｂが−Ｙ方向から＋Ｙ方向に向かって弾性力を与えられている。挟持部１１１Ａは、Ｙ軸及びＺ軸を含む側面において、Ｘ軸に沿った方向に貫通する支軸孔１１５Ａ、１１６Ａを有する。支軸孔１１５Ａ、１１６Ａは、例えば、Ｚ軸に沿って夫々が並行して設けられている。挟持部１１１Ａは、例えば、Ｘ軸及びＹ軸を含む底面において、後述する挟持バネ１２０Ａの一端が接続されている。
【００３０】
案内部１１２Ａは、通信用端子１８を、挟持部１１１Ａと挟持部１１１Ｂとの間に挿入しやすくするために、挟持部１１１Ａが湾曲した部分である。案内部１１２Ａは、挟持部１１１Ａの一部を変形させた部分である。案内部１１２Ａ、１１２Ｂは、一対の挟持部１１１Ａ、１１１Ｂの−Ｚ側の端部から、Ｚ軸に沿って−側から＋側に向かうに従って、夫々の挟持部１１１Ａ、１１１ＢがＹ軸に沿う方向において接近するように円弧をえがいて形成されている。すなわち、案内部１１２Ａは、挟持部１１１Ａの端部に丸みが設けられているように構成されている。
【００３１】
係合部１１３Ａは、挿入された通信用端子１８の凹凸部１８Ａと係合して、通信用端子１８が端子孔１５から外れないようにする部分である。係合部１１３Ａは、挟持部１１１Ａの一部を変形させた部分である。係合部１１３Ａは、案内部１１２Ａの＋Ｚ側の端部から、＋Ｚ方向に向かって、例えばのこぎり歯状に形成されている。
【００３２】
信号線１１４Ａは、通信用端子１８の電気的な信号を外部に導通する部材である。信号線１１４Ａは、例えば、絶縁体で被覆した導電体である。信号線１１４Ａは、一端が挟持部１１１Ａに電気的に接続され、他端が信号線２３０に電気的に接続されている。すなわち、信号線１１４Ａは、挟持部１１１Ａを介して、端子孔１５に挿入された通信用端子１８と電気的に接続されている。
【００３３】
挟持バネ１２０Ａは、挟持部１１１Ａに対して、少なくともＹ軸に沿う方向及びＺ軸に沿う方向に弾性力を与える部材である。挟持バネ１２０Ａは、例えば金属製の圧縮コイルバネで形成されている。挟持バネ１２０Ａは、例えば、一端が挟持部１１１ＡのＸ軸及びＹ軸を含む底面に接続され、他端が内部フレーム１７に接続されている。
【００３４】
連結部材１３０Ａ、１３１Ａは、挟持部１１１Ａと後述する第１ロック体１５０Ａとを連結する部材である。連結部材１３０Ａ、１３１Ａは、例えば金属製材料を用いて形成され、例えば板状を呈している。連結部材１３０Ａ、１３１Ａは、例えば、支軸孔１１５Ａ、１１６Ａに連通される支軸１４０Ａ、１４１Ａの両端に、連結部材１３０Ａ、１３１Ａの一端が軸支され、一対の連結部材１３０Ａ、１３１Ａが挟持部１１１Ａを挟に込むように設けられている。連結部材１３０Ａ、１３１Ａは、例えば、支軸孔１１５Ｃ、１１６Ｃに連通される支軸１４０Ｃ、１４１Ｃの両端に、一対の連結部材１３０Ａ、１３１Ａの他端が軸支され、第１ロック体１５０Ａを挟み込むように設けられている。尚、連結部材１３０Ａ、１３１Ａと、支軸１４０Ａ、支軸１４０Ｃとは一体構造であってもよい。連結部材１３０Ａ、１３１Ａは、挟持部１１１Ａ又は第１ロック体１５０Ａの移動に応じて回動する支軸１４０Ａ、１４１Ａ、１４０Ｃ、１４１Ｃに伴って移動する。
【００３５】
支軸１４０Ａ、１４１Ａ、１４０Ｃ、１４１Ｃは、連結部材１３０Ａ、１３１Ａの端部に接続され、支軸孔１１５Ａ、１１６Ａ、１１５Ｃ、１１６Ｃに挿通するように設けられている。支軸１４０Ａ、１４１Ａ、１４０Ｃ、１４１Ｃは、例えば金属製材料を用いて形成され、例えば円柱状を呈している。尚、支軸１４０Ａ、１４１Ａ、１４０Ｃ、１４１Ｃが回動できるように、支軸１４０Ａ、１４１Ａ、１４０Ｃ、１４１Ｃと、支軸孔１１５Ａ、１１６Ａ、１１５Ｃ、１１６Ｃとは、互いの間にはクリアランスが設けられて構成されている。
【００３６】
第１ロック部材１５０は、その動きに応じて、連結部材１３０Ａ、１３１Ａ、１３０Ｂ、１３１Ｂを介して、挟持部１１１Ａ、１１１ＢをＹ軸に沿った方向に移動させる部材である。第１ロック部材１５０は、第１ロック体１５０Ａと、第１ロックバネ１５０Ｂと、を含んで構成されている。
【００３７】
第１ロック体１５０Ａは、連結部材１３０Ａ、１３１Ａ、１３０Ｂ、１３１Ｂを介して、挟持部１１１Ａ、１１１Ｂに動力を伝達する部材である。第１ロック体１５０Ａは、例えばプラスチック製材料を用いて形成され、例えば一部に円弧を有する略直方体形状を呈している。第１ロック体１５０Ａは、例えばＺ軸に沿って一対の挟持部１１１Ａ、１１１Ｂと並行し、例えば一対の挟持部１１１Ａ、１１１Ｂの間にその一部が介在するように設けられている。第１ロック体１５０Ａは、＋Ｚ側の端面が半球状を呈し、後述する第２ロック体１６０Ａに接触するように設けられている。第１ロック体１５０Ａは、第１ロックバネ１５０Ｂによって、Ｚ軸に沿った方向に弾性力を与えられている。第１ロック体１５０Ａは、Ｙ軸及びＺ軸を含む側面において、Ｘ軸に沿った方向に貫通する支軸孔１１５Ｃ、１１５Ｄ、１１６Ｃ、１１６Ｄを有する。支軸孔１１５Ｃ、１１５Ｄ、１１６Ｃ、１１６Ｄは、例えば、支軸孔１１５Ｃと支軸孔１１６Ｃとが、挟持部１１１Ａに近い側にＺ軸に沿って設けられ、支軸孔１１５Ｄと支軸孔１１６Ｄとが、挟持部１１１Ｂに近い側にＺ軸に沿って設けられている。
【００３８】
第１ロックバネ１５０Ｂは、第１ロック体１５０Ａに対して、Ｚ軸に沿う方向に弾性力を与える部材である。第１ロックバネ１５０Ｂは、例えば金属製の圧縮コイルバネで形成されている。第１ロックバネ１５０Ｂは、例えば一対で構成されている。一対の第１ロックバネ１５０Ｂは、一端が第１ロック体１５０ＡのＸ軸及びＺ軸を含む側面に、第１ロック体１５０Ａを挟むように夫々が接続され、他端が内部フレーム１７に接続されている。一対の第１ロックバネ１５０Ｂは、夫々の弾性力を示すベクトル和が、Ｚ軸に沿う方向を示すように設けられている。
【００３９】
第２ロック部材１６０は、第２ロック体１６０Ａの動きに応じて、第１ロック体１５０Ａに対して、Ｚ軸に沿った方向に力を与える部材である。第２ロック部材１６０は、第２ロック体１６０Ａと、第２ロックバネ１６０Ｂと、を含んで構成されている。
【００４０】
第２ロック体１６０Ａは、例えば、第２ロック体１６０ＡのＹ軸方向の動きに応じて、第１ロック体１５０ＡにＺ軸方向の動力を伝える部材である。第２ロック体１６０Ａは、例えばプラスチック製材料を用いて形成され、例えば斜面を有する略直方体形状を呈している。第２ロック体１６０Ａは、Ｙ軸に対して−Ｚ側に傾斜する斜面で、第１ロック体１５０Ａの＋Ｚ側の端面と、接触するように設けられている。第２ロック体１６０Ａは、＋Ｙ端面がロック解除ボタンの内側突起（不図示）と連結するように構成されている。具体的には、ロック解除ボタンが−Ｙ方向に押圧されると、それに連動して第２ロック体１６０Ａが−Ｙ方向に押し下げられる。そして、第２ロック体１６０Ａが−Ｙ方向に移動するに伴って、第２ロック体１６０Ａの斜面に沿って第１ロック体１５０Ａが−Ｚ方向に移動するように、第２ロック体１６０Ａと、第１ロック体１５０Ａと、が配置されている。又、第２ロック体１６０Ａは、Ｘ軸及びＺ軸を含む−Ｙ側の端面に後述する第２ロックバネ１６０Ｂが接続されている。
【００４１】
第２ロックバネ１６０Ｂは、第２ロック体１６０Ａに対して、Ｙ軸に沿う方向に弾性力を与える部材である。第２ロックバネ１６０Ｂは、例えば金属製の圧縮コイルバネで形成されている。第２ロックバネ１６０Ｂは、一端が第２ロック体１６０ＡのＸ軸及びＺ軸を含む端面に接続され、他端が内部フレーム１７に接続されている。
【００４２】
尚、上記において、案内部１１２Ａは挟持部１１１Ａの一部を変形させた部分であると記載したが、これに限定されない。例えば、案内部１１２Ａは挟持部１１１Ａの端部の角に丸みを形成するカバーを設けてもよい。尚、上記において、係合部１１３Ａはのこぎり歯状に形成されていると記載したが、これに限定されない。例えば、１つの突起から形成されていてもよく、通信用端子１８の凹凸部１８Ａに引っかかるような形状であればよい。尚、上記において、挟持バネ１２０Ａは、金属製の圧縮コイルバネで形成されていると記載したが、これに限定されない。例えば、板バネでもよく、少なくともＹ軸に沿う方向及びＺ軸に沿う方向に弾性力を与えるものであればよい。尚、上記において、連結部材１３０Ａ、１３１Ａは金属製材料を用いて形成されると記載したが、これに限定されない。例えば、プラスチック製材料を用いてもよく、導電性材料である必要はない。尚、上記において、連結部材１３０Ａ、１３１Ａは、挟持部１１１Ａ及び第１ロック体１５０Ａを一対で挟むように設けられていると記載したが、これに限定されない。例えば、連結部材１３０Ａ、１３１Ａが挟持部１１１Ａ及び第１ロック体１５０ＡのＹ軸及びＺ軸を含む１面にのみ設けられていてもよい。この場合、支軸１４０Ａ、１４１Ａ、１４０Ｃ、１４１Ｃの一端は連結部材１３０Ａ、１３１Ａと連結し、他端には例えばナットを設けて、支軸１４０Ａ、１４１Ａ、１４０Ｃ、１４１Ｃが支軸孔１１５Ａ、１１６Ａ、１１５Ｃ、１１６Ｃから外れないようにする。
【００４３】
＝＝＝弾性部材の構成＝＝＝
以下、図５、図６を参照しつつ、本実施形態に係る弾性部材２００について説明する。
【００４４】
弾性部材２００は、弾性部２１０Ａ、接触部２２０Ａのブロックと、弾性部２１０Ｂ、接触部２２０Ｂのブロックと、を含んで構成されている。前者のブロックと、後者のブロックとは、同様の構成を有し、第１ロック体１５０Ａを中心として、Ｘ軸及びＺ軸で形成されるＸＺ平面に沿って、第１ロック体１５０Ａを境にして対称な動作を行う。そこで、以下、説明の便宜上、前者のブロックについて、その構成の説明を行い、後者のブロックについては、その説明を省略する。尚、前者のブロックと、後者のブロックにおいて、同一の構成を有する要素には同じ番号を付すこととし、末尾の番号を前者のブロックはＡ、後者のブロックはＢとして記すこととする。尚、図５において、弾性体２１３Ａと、支点部２１１Ａと、接触部２２０Ａと、で構成されるひし形状弾性体については、代表のひし形状弾性体のみに番号を付して記すこととする。
【００４５】
弾性部材２００は、前述した、弾性部２１０Ａ、２１０Ｂと、接触部２２０Ａ、２２０Ｂと、に加えて、信号線２３０と、を含んで構成されている。
【００４６】
弾性部２１０Ａは、通信用端子１８に対して、Ｘ軸に沿う方向に弾性力を用いて電気的に接触する部材である。弾性部２１０Ａは、弾性体２１３Ａ、２１４Ａ、２１５Ａ、２１６Ａと、支点部２１１Ａ、２１２Ａと、板バネ２１７Ａと、を含んで構成されている。
【００４７】
弾性体２１３Ａ、２１４Ａ、２１５Ａ、２１６Ａは、後述する接触部２２０Ａに対して弾性付勢するための部材である。弾性体２１３Ａ、２１４Ａ、２１５Ａ、２１６Ａは、例えば弾性力を有する金属製材料を用いて形成され、例えば板状又は棒状を呈している。弾性体２１３Ａ、２１４Ａ、２１５Ａ、２１６Ａは、例えば、−Ｙ方向に向かって見たときに、夫々の、弾性体２１３Ａ、２１４Ａ、２１５Ａ、２１６Ａと、支点部２１１Ａ、２１２Ａと、接触部２２０Ａと、でひし形状の弾性体（以下、「ひし形状弾性体」と称する。）を形成するように構成されている。又、ひし形状弾性体は、Ｚ軸に沿って隣り合うひし形状弾性体と、夫々の支点部で接合され、ひし形状弾性体の連続体（以下、「ひし形状連続体」と称する。）を形成するように構成されている。支点部は、例えば、隣り合う支点部と半田付けによって接合されている。
【００４８】
支点部２１１Ａは、例えば、弾性体２１３Ａと、弾性体２１４Ａと、の間に設けられ、弾性体２１３Ａと、弾性体２１４Ａと、を連結させる部材である。支点部２１２Ａは、例えば、弾性体２１５Ａと、弾性体２１６Ａと、の間に設けられ、弾性体２１５Ａと、弾性体２１６Ａと、を連結させる部材である。支点部２１１Ａ、２１２Ａは、例えば弾性力を有する金属製材料のねじりコイルばねを用いて形成されている。支点部２１１Ａ、２１２Ａは、例えば、弾性体２１３Ａ、２１４Ａ、２１５Ａ、２１６Ａと一体として構成されているか、弾性体２１３Ａ、２１４Ａ、２１５Ａ、２１６Ａと半田付けされているか、どちらでもよい。支点部２１１Ａ、２１２Ａは、例えば、少なくともＸ軸に沿った方向からの圧縮力に対して弾性力を生じるように構成されている。
【００４９】
板バネ２１７Ａは、例えば、ひし形状弾性体に対して弾性力を与える部材である。板バネ２１７Ａは、例えば弾性力を有する金属製材料を用いて形成され、例えば波付の板で構成されている。板バネ２１７Ａは、例えば、内部フレーム１７と、弾性体２１４Ａ、２１５Ａ（ひし形状弾性体）と、の間に設けられている。板バネ２１７Ａは、例えば、波の一方の山の頂が内部フレーム１７に接合され、波の他方の山の頂が弾性体２１４Ａ、２１５Ａに接合されている。尚、接合方法は、ボルトによる接合か、半田付けによる接合か、はどちらでもよく、電気的に接続固定されていればよい。板バネ２１７Ａは、Ｘ軸に沿った方向からの圧縮力に対して弾性力を生じるように構成されている。
【００５０】
接触部２２０Ａは、弾性体２１３Ａ、２１６Ａから弾性力を受けて通信用端子１８に電気的に接触する部材である。接触部２２０Ａは、例えば金属製材料を用いて形成され、例えば球状又は半球状を呈している。接触部２２０Ａは、弾性体２１３Ａ、２１６Ａが、支点部２１１Ａ、２１２Ａと接合される弾性体２１３Ａ、２１６Ａの一端とは反対側の他端に接合されている。接触部２２０Ａは、弾性体２１３Ａの端部と、弾性体２１６Ａの端部と、を連結するように設けられている。
【００５１】
信号線２３０は、通信用端子１８の電気的な信号を、弾性部２１０Ａ、２１０Ｂを介して、外部に導通する部材である。信号線２３０は、例えば、絶縁体で被覆した導電体である。信号線２３０は、一端が、ひし形状連続体のＺ軸に沿った方向の一端に電気的に接続されている。信号線２３０は、他端が、ケーブル挿入孔１４Ａから導出されている。
【００５２】
尚、図５では、弾性部２１０Ａ、２１０Ｂは一対で構成されているように示されているが、一対の必要はない。例えば、通信用端子１８に対して−Ｘ側（弾性部２１０Ｂ）にのみ設けられ、＋Ｘ方向に向かって通信用端子１８に対して弾性力を用いて電気的に接触するように設けられていてもよい。すなわち、通信用端子１８は、片面が弾性部２１０Ｂと接触し、片面と逆側の面がフレームに接触するように設けられている状態でもよい。尚、上記において、弾性体２１３Ａ、２１４Ａ、２１５Ａ、２１６Ａと、支点部２１１Ａ、２１２Ａと、接触部２２０Ａと、で形成されるひし形状連続体は、Ｙ軸に沿った方向に多段で形成されていることとし、特に３段で形成されていることが好ましい。凹凸を有する半田付けされている通信用端子１８に対しても、多くの接触部で電気的に接触させるためである。尚、上記において、ひし形状連続体は、支点部を夫々、半田付けして形成されているように記載したが、これに限定されない。例えば、１本の金属製材料の板状又は棒状のものを用いて、支点部をねじりコイルばね状にして、ひし形状が連続するように形成してもよい。又、上記において、支点部２１１Ａ、２１２Ａを設けるように記載したが、これに限定されない。例えば支点部２１１Ａ、２１２Ａを設けなくてもよく、その場合、弾性体２１３Ａ、２１４Ａ、２１５Ａ、２１６Ａを、Ｘ軸及びＺ軸を含む平面にひし形状を形成して弾性力を備えるように構成されていればよい。又、上記において、板バネ２１７Ａを設けるように記載したが、これに限定されない。例えば板バネ２１７Ａを設けない場合、Ｘ軸に沿った方向に弾性力を備えるようにひし形状弾性体が内部フレーム１７に接合されていればよい。又、上記において、接触部２２０Ａを球状又は半球状の単体を設けるように記載したが、これに限定されない。例えば、通信用端子１８との接触部分に丸みを有しているものであればよく、例えば、弾性体２１３Ａの一部を曲げて丸みを形成して接触させてもよい。
【００５３】
＝＝＝アームの動作＝＝＝
以下、図３、図４を参照しつつ、本実施形態に係るアームの動作について説明する。
【００５４】
先ず、通信用端子１８が端子孔１５から挿入される。挿入された通信用端子１８は、一対の案内部１１２Ａ、１１２Ｂに接触する。一対の案内部１１２Ａ、１１２Ｂは、挿入された通信用端子１８が＋Ｚ方向へ移動するのに従って、Ｙ軸に沿って案内部１１２Ａが＋Ｙ方向に、案内部１１２Ｂが−Ｙ方向に、夫々が離れるように移動する。次に、夫々の案内部１１２Ａ、１１２Ｂが離れるように移動するのに伴って、一対の挟持部１１１Ａ、１１１Ｂは、連結部材１３０Ａ、１３０Ｂ、１３１Ａ、１３１Ｂから引っ張り力を受けるために、夫々の挟持部１１１Ａ、１１１Ｂが＋Ｚ方向に移動する。このとき、挟持バネ１２０Ａは、挟持部１１１Ａに対して−Ｙ方向及び−Ｚ方向の弾性力を与える。又、挟持バネ１２０Ｂは、挟持部１１１Ｂに対して＋Ｙ方向及び−Ｚ方向に向かって弾性力を与える。従って、通信用端子１８は、一対の挟持部１１１Ａ、１１１Ｂによって、Ｙ軸に沿って−Ｙ方向及び＋Ｙ方向から挟持される。これによって、通信用端子１８は、端子孔１５から外れないように固定される。
【００５５】
次に、通信用端子１８が端子孔１５から引き抜かれる場合、先ず、ロック解除ボタン１３が、−Ｙ方向に押下される。ロック解除ボタン１３が−Ｙ方向に押下されると、外部フレーム１６の内部において、第２ロック体１６０Ａが−Ｙ方向に押し下げられる。このとき、第２ロックバネ１６０Ｂは、第２ロック体１６０Ａに対して＋Ｙ方向の弾性力を与える。次に、第２ロック体１６０Ａが−Ｙ方向へ移動することに伴って、第１ロック体１５０Ａが第２ロック体１６０Ａの斜面から−Ｚ方向の力を受けて、Ｚ軸に沿って−Ｚ方向に移動させられる。このとき、第１ロックバネ１５０Ｂは、第１ロック体１５０Ａに対して＋Ｚ方向の弾性力を与える。次に、第１ロック体１５０Ａが−Ｚ方向へ移動することに伴って、一対の挟持部１１１Ａ、１１１Ｂは、連結部材１３０Ａ、１３０Ｂ、１３１Ａ、１３１Ｂによって、Ｙ軸に沿って、挟持部１１１Ａが＋Ｙ方向に、挟持部１１１Ｂが−Ｙ方向に、夫々が離れるように移動する。従って、通信用端子１８は、一対の挟持部１１１Ａ、１１１Ｂによって挟持されている状態が解除される。次に、第１ロック体１５０Ａは、−Ｚ方向に移動されると、通信用端子１８の＋Ｚ側端部に接触し、通信用端子１８を端子孔１５から押し出し（−Ｚ方向へ）て、通信用端子１８は、端子孔１５から引き抜かれる。
【００５６】
＝＝＝弾性部材の動作＝＝＝
以下、図５、図６を参照しつつ、本実施形態に係る弾性部材２００の動作について説明する。
【００５７】
先ず、通信用端子１８が端子孔１５から挿入される。挿入された通信用端子１８は、端子孔１５に最も近い接触部２２０Ａ、２２０Ｂに接触する。接触部２２０Ａ、２２０Ｂは、挿入された通信用端子１８の外周面に沿ってＸ軸に沿う方向に弾性移動する。このとき、接触部２２０Ａ、２２０Ｂは、移動した方向とは逆方向の弾性力を、ひし形状弾性体から受ける。又、ひし形状弾性体は、接触部２２０Ａ、２２０Ｂが移動した方向とは逆方向の弾性力を板バネ２１７Ａ、２１７Ｂから受ける。接触部２２０Ａ、２２０Ｂは、上記の弾性力によって通信用端子１８との接触状態を維持することができる。尚、接触部２２０Ａ、２２０Ｂは、Ｙ軸に沿って多段で構成されているが、夫々の接触部２２０Ａ、２２０Ｂは、上記と同様の動作を行う。
【００５８】
＝＝＝第１接続手順＝＝＝
以下、図７を参照しつつ、本実施形態に係る第１接続手順について説明する。図７は、本実施形態に係る第１接続手順におけるブロック図である。第１接続手順は、ケーブル９の両端に通信線端子接続装置１０Ａ、１０Ｂを備えているものを使用する手順である。又、第１接続手順において、第１装置１は、第１通信用端子７に直接的につながる通信系統４とは別に、第３装置３を経由して第１通信用端子７と接続される通信系統６を有する。
【００５９】
先ず、作業員は、第１装置１と、第２装置２と、の間の通信系統４と、通信系統５と、において、通信系統４が切断されていることを確認する。作業員は、第１装置１から延びる信号線（通信系統４）が接続されている第１通信用端子７に通信線端子接続装置１０Ａを接続する。作業員は、第３装置３から延びる信号線（通信系統６）が接続されている第１通信用端子７と電気的につながっている第２通信用端子８に通信線端子接続装置１０Ｂを接続する。上記の作業により、第１装置１と、第２装置２と、が電気的に接続される。具体的には、第２装置２は、通信系統５を通じて第２通信用端子８に接続され、第２通信用端子８につながっている第１通信用端子７には通信線端子接続装置１０Ａが接続され、ケーブル９を通じて、第２通信用端子８に接続された通信線端子接続装置１０Ｂを介して、電気的につながっている第１通信用端子７及び通信系統６を経由して第３装置３と接続され、通信系統６を通じて第１装置１と接続される。
【００６０】
＝＝＝第２接続手順＝＝＝
以下、図８を参照しつつ、本実施形態に係る第２接続手順について説明する。図８は、本実施形態に係る第２接続手順におけるブロック図である。尚、図８においては、図７に示したのと同一であるものには同一引用数字を用いている。第２接続手順は、ケーブル９の一端には通信線端子接続装置１０Ｃを備え、他端には公知のコネクタ１０Ｄ（例えば、ＲJ−４５）を備えているものを使用する手順である。
【００６１】
先ず、作業員は、第１装置１と、第２装置２と、の間の通信系統４と、通信系統５と、において、通信系統４が切断されていることを確認する。作業員は、第１装置１から延びる信号線（通信系統４）が接続されている第１通信用端子７に通信線端子接続装置１０Ａを接続する。作業員は、接続コネクタ１０Ｄを第一装置に接続する。上記の作業により、第１装置１と、第２装置２と、が電気的に接続される。具体的には、第２装置２は、通信系統５を通じて第２通信用端子８に接続され、第２通信用端子８につながっている第１通信用端子７には通信線端子接続装置１０Ｃが接続され、ケーブル９を通じて、接続コネクタ１０Ｄを介して、第１装置１と接続される。
【００６２】
以上説明したように、本実施形態に係る通信線端子接続装置１０は、第１装置１に接続された通信系統４と半田で接続される第１通信用端子７と、第２装置２に接続された通信系統５と接続される第２通信用端子８と、が電気的に接続される通信用端子板（第１通信用端子７）において、第１通信用端子７に接続される通信線端子接続装置１０Ａであって、第１通信用端子７の通信用端子１８が挿入される端子孔１５と、端子孔１５に挿入された通信用端子１８を挟持する一対のアーム１００と、一対のアーム１００の間に介在する通信用端子１８に対して電気的に接触する導電性の弾性部材２００と、を備え、端子孔１５は、通信系統４が断線した場合に、弾性部材２００に接続される信号線２３０を介して通信用端子１８が第１装置１と電気的に接続されるように、通信用端子１８が挿入される孔である、ことを特徴とする。そして、本実施形態によれば、通信系統４の信号線が半田付されている通信用端子１８が、端子孔１５に挿入され、弾性部材２００によって電気的に接触され、アーム１００によって端子孔１５から外れないように固定されることで、通信系統４を迂回する通信系統を迅速かつ安全に構築することが可能となる。
【００６３】
又、本実施形態に係る通信線端子接続装置１０において、弾性部材２００は、通信用端子１８の一方の面に接触する弾性部材２００と、通信用端子１８の前記一方の面とは反対側の他方の面に接触する弾性部材２００と、を含むことを特徴とする。本実施形態によれば、通信用端子１８の凹凸部１８Ａに影響されず、弾性部材２００が通信用端子１８に電気的に接触することが可能となる。
【００６４】
又、本実施形態に係る通信線端子接続装置１０において、弾性部材２００は、通信用端子１８の一方の面に向かって弾性付勢される弾性部２１０Ａと、弾性部２１０Ａの変動に応じて通信用端子１８の一方の面に接触する複数の接触部２２０Ａと、を有し、弾性部材２００は、通信用端子１８の一方の面とは反対側の他方の面に向かって弾性付勢される弾性部２１０Ｂと、弾性部２１０Ｂの変動に応じて通信用端子１８の一方の面とは反対側の他方の面に接触する複数の接触部２２０Ａと、を有する。本実施形態によれば、複数の接触部２２０Ａ、２２０Ｂが通信用端子１８に接触するため、通信用端子１８の凹凸部１８Ａに影響されず、弾性部材２００が通信用端子１８に電気的に接触することが可能となる。
【００６５】
又、本実施形態に係る通信線端子接続装置１０において、複数の接触部２２０Ａ及び複数の接触部２２０Ｂは、夫々、通信用端子１８が端子孔１５に挿入される方向に沿って設けられる。本実施形態によれば、Ｚ軸に沿う方向に、例えばひし形状連続体のような弾性部材２００によって、例えば多段で構成して、通信用端子１８の凹凸部１８Ａに影響されず、弾性部材２００が通信用端子１８に電気的に接触することが可能となる。
【００６６】
又、本実施形態に係る通信線端子接続装置１０において、一対のアーム１００は、通信用端子１８を挟持できるように弾性付勢されている。本実施形態によれば、通信線端子１８の動きに影響されず、アーム１００が通信用端子１８を固定することが可能となる。
【００６７】
又、本実施形態に係る通信線端子接続装置１０において、一対のアーム１００は、端子孔１５に挿入された通信用端子１８が端子孔１５から外れないように、通信系統４の信号線が半田で接続される凹凸部に係合する係合部１１３Ａ、１１３Ｂを有する。本実施形態によれば、アーム１００は、通信用端子１８が端子孔１５から外れないように固定することが可能となる。
【００６８】
又、本実施形態に係る通信線端子接続装置１０において、係合部１１３Ａ、１１３Ｂは、通信用端子１８が端子孔１５に挿入されたとき、一対のアーム１００の弾性付勢に抗して通信用端子１８を案内する案内部１１２Ａ、１１２Ｂを有する。本実施形態によれば、通信線端子接続装置１０は、通信用端子１８を端子孔１５にスムーズに挿入することが可能となる。
【００６９】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００７０】
１  第１装置
２  第２装置
４  通信系統
５  通信系統
７  第１通信用端子
８  第２通信用端子
１０、１０Ａ  通信線端子接続装置
１５  端子孔
１８  通信用端子
１８Ａ  凹凸部
１００  アーム
１１２Ａ、１１２Ｂ  案内部
１１３Ａ、１１３Ｂ  係合部
２００  弾性部材
２１０Ａ、２１０Ｂ  弾性部
２２０Ａ、２２０Ｂ  接触部
２３０  信号線
【図１】
0006544189.tif 000002
【図２】
0006544189.tif 000003
【図３】
0006544189.tif 000004
【図４】
0006544189.tif 000005
【図５】
0006544189.tif 000006
【図６】
0006544189.tif 000007
【図７】
0006544189.tif 000008
【図８】
0006544189.tif 000009